(57)【要約】【課題】  用紙の撓みに起因する画像欠陥の発生が防止された用紙斜行補正装置を提供することを目的とする。【解決手段】  用紙を下流方向に向けて搬送する搬送ロール１１と、搬送ロール１１よりも用紙搬送方向下流側の、搬送ロール１１から、用紙の搬送方向長さよりも近い位置に配備された、搬送されてきた用紙の先端の当接を受け所定時間を置いて該用紙をさらに下流へと搬送するレジストレーションロール１２と、レジストレーションロール１２に当接した状態の用紙先端部の、レジストレーションロール１２の回転軸方向の撓みを防止する用紙規制部材１３と、搬送ロール１１によって搬送されてきた用紙をレジストレーションロール１２に向けて案内する案内路１５を形成する２枚のガイドプレート１６，１７とを備えた。【選択図】        図２
2007302381.tif 000002
【特許請求の範囲】
【請求項１】
用紙を下流方向に向けて搬送する搬送ロールと、
前記搬送ロールよりも用紙搬送方向下流側の、該搬送ロールから、用紙の搬送方向長さよりも近い位置に配備された、搬送されてきた用紙の先端の当接を受け所定時間を置いて該用紙をさらに下流へと搬送するレジストレーションロールと、
前記レジストレーションロールに当接した状態の用紙先端部の、該レジストレーションロールの回転軸方向の撓みを防止する用紙規制部材とを備えたことを特徴とする用紙斜行補正装置。
【請求項２】
前記搬送ロールによって搬送されてきた用紙を前記レジストレーションロールに向けて案内する案内路を形成する２枚のガイドプレートを備え、該２枚のガイドプレートの、前記レジストレーションロール側の、該レジストレーションロールに沿う方向の少なくとも一部分の、該２枚のガイドプレートどうしの間隔が他の部分の間隔よりも狭幅に形成され、該少なくとも一部分が前記用紙規制部材として作用するものであることを特徴とする請求項１記載の用紙斜行補正装置。
【請求項３】
前記レジストレーションロールが、回転軸方向に間隔を空けて配列された複数の単ロールから構成されたものであり、
前記２枚のガイドプレートの、前記レジストレーションロール側の、該レジストレーションロールに沿う方向の、隣接する単ロールどうしの間の部分の、該２枚のガイドプレートどうしの間隔が、該２枚のガイドプレートどうしの他の部分の間隔よりも狭幅に形成されたものであることを特徴とする請求項２記載の用紙斜行補正装置。
【請求項４】
前記２枚のガイドプレートのうちの一方のガイドプレートの、少なくとも前記レジストレーションロール側の部分が、もう一方のガイドプレートに接触する方向に移動自在に支持し、該２枚のガイドプレートの前記レジストレーションロール側の部分の互いの間の間隔を、搬送されてくる用紙の厚さに応じて調整する間隔調整機構を備えたことを特徴とする請求項１記載の用紙斜行補正装置。
【発明の詳細な説明】
【技術分野】
【０００１】
本発明は、プリンタ、複写機、ファクシミリなどの画像形成装置における用紙の斜行を補正する用紙斜行補正装置に関する。
【背景技術】
【０００２】
プリンタ、複写機、ファクシミリなどの画像形成装置では、裁断された用紙を装置内の各部に搬送し、その用紙に画像を形成するようになっている。このような画像形成装置では、画像形成部において用紙上の所定の位置に画像形成を行う必要があるため、搬送の途中で用紙が斜め送りされた場合（以下斜行という）には、画像形成が行われる前に斜行を補正する必要がある。また、ある種の画像形成装置では、用紙（原稿）を所定の読取位置に送り込み、その位置で用紙（原稿）の読取りを行うようになっているが、このような装置においては、用紙読取り前に用紙の斜行を補正する必要がある。
【０００３】
図８は、従来の用紙斜行補正の原理を示す図である。
【０００４】
図８には、感光体（図示せず）の上流側に配備された、用紙９１の斜行を補正するためのレジストレーションロール９２，９３が示されている。このレジストレーションロール９２，９３の下流側にはレジストレーションロール９２，９３に用紙９１を搬送する搬送ロール（図示せず）が配備されている。
【０００５】
用紙９１は、上記搬送ロールによりレジストレーションロール９２，９３まで搬送され、そのニップ部Ｎに突き当たって一旦停止した後、所定のタイミングでレジストレーションロール９２，９３により下流側に送り出されて画像形成が行われることになる。ここで、用紙９１が一点鎖線９４で示すように用紙先端部がレジストレーションロール９２，９３の軸方向と平行な状態でニップ部Ｎに搬送されてきた場合には、斜行補正を行う必要はないが、用紙９１が、実線で示すように斜め送りされてきた場合に、用紙をその斜行した状態のまま感光体に搬送したのでは、用紙に対して斜めに画像形成が行われてしまう。
【０００６】
そこで、例えば、レジストレーションロールと搬送ロールとの間の用紙搬送路を搬送される用紙の一方の面と平行な固定面を有する第１の用紙ガイドと、この第１の用紙ガイドと用紙搬送路を挟んで対向配備され、第１の用紙ガイドに近づく方向の一定の力を用紙に恒常的に及ぼし、用紙搬送路に存在する用紙が及ぼすこれと反対方向の力の強さに応じて第１の用紙ガイドとの間隔を伸縮させる第２の用紙ガイドとを具備した用紙斜行補正装置が開示されている（例えば、特許文献１参照）。
【０００７】
図９は、従来の用紙斜行補正装置の概要図である。
【０００８】
図９には、レジストレーションロール９２，９３と、用紙９１をレジストレーションロール９２，９３に搬送する搬送ロール９５，９６が示されている。この用紙斜行補正装置では、用紙９１の先端部がレジストレーションロール９２，９３のニップ部Ｎに到達する時点ではレジストレーションロール９２，９３の回転は停止している。この状態で、用紙９１は第１の用紙ガイド９７と第２の用紙ガイド９８との間を矢印Ａ方向に搬送され、用紙９１の先端部の一部がニップ部Ｎに突き当たり用紙の進行が一旦止められるが、搬送ロール９５，９６の搬送力で用紙９１の先端部がニップ部Ｎに強く押し付けられることにより、用紙９１の一部は図９に示すようにループ９１ｃを形成する。こうして、用紙９１はニップ部Ｎにさらに強く押し付けられ、その結果、用紙先端部の全域がニップ部Ｎに到達することによって斜行が補正される。斜行補正された用紙は、レジストレーションロール９２，９３の回転開始により下流側に搬送される。
【特許文献１】特開平１１−１６５９１６号公報
【発明の開示】
【発明が解決しようとする課題】
【０００９】
しかし、上記の従来の用紙斜行補正装置には次のような問題がある。すなわち、図８に示したように、用紙９１の一方の先端部９１ａがレジストレーションロール９２，９３のニップ部Ｎに当接した場合の用紙先端部９１ａの位置と、用紙が斜行せずにニップ部Ｎに到達した場合の用紙先端部９４ａの位置との間には若干の食い違いがあり、図示のように、斜行した場合の用紙先端部９１ａは、斜行しなかった場合の用紙先端部９４ａよりも用紙中央部寄りにある。
【００１０】
この状態で用紙が下流側からの搬送力によりニップ部Ｎに強く押し付けられることにより、用紙先端部が図面に向かって反時計方向に回転し、用紙先端部９１ａが用紙先端部９４ａの位置まで移動して用紙斜行が補正されることになるが、用紙先端部９１ａとニップ部Ｎとの間の摩擦力により用紙先端部９１ａが容易に移動しない場合がある。
【００１１】
一方、遅れてニップ部Ｎに当接する側の先端部９１ｂは、搬送ロール９５，９６により搬送方向に進行しようとするので、上記のように用紙先端部９１ａが移動しない場合には、先端部９１ａと先端部９１ｂとの間の直線距離は、先端部９１ｂの進行につれて次第に狭められ、用紙先端部はロール回転軸方向に撓んだ状態となる。
【００１２】
通常、レジストレーションロールの手前の両サイドには用紙のサイドレジストレーション検出用のセンサが配備されており、このセンサによる検出結果に基づき下流側での画像形成における位置決めが行われるようになっているが、上記のように用紙先端部がロール回転軸方向に撓んだ状態となってしまうと、センサは用紙幅を実際の用紙幅よりも狭く測定してしまい、その結果、用紙上の画像形成位置にずれが生じてしまい、画像欠陥の原因となる。
【００１３】
本発明は、上記事情に鑑み、レジストレーション時の用紙先端部のロール回転軸方向の撓みに起因する画像欠陥の発生が防止された用紙斜行補正装置を提供することを目的とする。
【課題を解決するための手段】
【００１４】
上記目的を達成する本発明の用紙斜行補正装置は、
用紙を下流方向に向けて搬送する搬送ロールと、
上記搬送ロールよりも用紙搬送方向下流側の、該搬送ロールから、用紙の搬送方向長さよりも近い位置に配備された、搬送されてきた用紙の先端の当接を受け所定時間を置いて該用紙をさらに下流へと搬送するレジストレーションロールと、
上記レジストレーションロールに当接した状態の用紙先端部の、該レジストレーションロールの回転軸方向の撓みを防止する用紙規制部材とを備えたことを特徴とする。
【００１５】
本発明の用紙斜行補正装置によれば、上記のように、用紙規制部材を備えたことにより、レジストレーションロールに当接した状態の用紙先端部の、ロール回転軸方向の撓みが抑制されるので、用紙上に形成される画像の位置ずれの発生を防止することができる。
【００１６】
ここで、上記搬送ロールによって搬送されてきた用紙を上記レジストレーションロールに向けて案内する案内路を形成する２枚のガイドプレートを備え、該２枚のガイドプレートの、上記レジストレーションロール側の、該レジストレーションロールに沿う方向の少なくとも一部分の、該２枚のガイドプレートどうしの間隔が他の部分の間隔よりも狭幅に形成され、該少なくとも一部分が上記用紙規制部材として作用するものであることが好ましい。
【００１７】
本発明の用紙斜行補正装置を上記のように構成した場合は、２枚のガイドプレートにより形成された狭幅の間隔の用紙規制部材の作用により、用紙先端部のロール回転軸方向の撓みを効果的に補正することができる。
【００１８】
また、上記レジストレーションロールが、回転軸方向に間隔を空けて配列された複数の単ロールから構成されたものであり、上記２枚のガイドプレートの、上記レジストレーションロール側の、該レジストレーションロールに沿う方向の、隣接する単ロールどうしの間の部分の、該２枚のガイドプレートどうしの間隔が、該２枚のガイドプレートどうしの他の部分の間隔よりも狭幅に形成されたものであることが好ましい。
【００１９】
本発明の用紙斜行補正装置を上記のように構成した場合は、２枚のガイドプレートにより形成される狭幅の部分を、隣接する単ロールどうしの間の部分にまで延長することができるので、斜行補正効果を高めることができる。さらに、間隔を空けて配列された複数の単ロールを用いることにより、“むく”のレジストレーションロールを用いたときよりも用紙にしわが生じにくいという利点もある。
【００２０】
また、上記２枚のガイドプレートのうちの一方のガイドプレートの、少なくとも上記レジストレーションロール側の部分が、もう一方のガイドプレートに接触する方向に移動自在に支持し、該２枚のガイドプレートの上記レジストレーションロール側の部分の互いの間の間隔を、搬送されてくる用紙の厚さに応じて調整する間隔調整機構を備えたものであることが好ましい。
【００２１】
本発明の用紙斜行補正装置を上記のように構成した場合は、薄い用紙を用いたときには用紙先端部のロール回転軸方向の撓みが生じやすいのでガイドプレートどうしの間隔を狭め、厚い用紙を用いたときには用紙先端部のロール回転軸方向の撓みは生じにくいのでガイドプレートどうしの間隔を広げるというように使用する用紙の厚さに応じて効果的な斜行補正を行うことが可能である。
【発明の効果】
【００２２】
以上説明したように、本発明によれば、レジストレーション時の用紙先端部のロール回転軸方向の撓みに起因する画像欠陥の発生が防止された用紙斜行補正装置を実現することができる。
【発明を実施するための最良の形態】
【００２３】
以下、図を参照して本発明の実施の形態を説明する。
【００２４】
図１は、本発明の用紙斜行補正装置が組み込まれた画像形成装置の要部を示す図である。
【００２５】
図１には、電子写真方式の画像形成装置１００を構成する感光体部１０１、転写ベルト１０２、給紙トレイ１０４、転写ロール１１６などの要部、および本実施形態の用紙斜行補正装置１０が示されている。
【００２６】
この画像形成装置１００の動作を簡単に説明すると、矢印Ａ方向に回転する感光体部１０１は、カラーの画像情報をシアン、マゼンタ、イエローおよびブラックの４色のトナー像に変換し、それらのトナー像を、矢印Ｂ方向に循環移動する転写ベルト１０２に転写して転写ベルト１０２上に４色合成されたカラートナー像を形成する。
【００２７】
この画像形成装置１００の下部には、所定の用紙サイズの用紙１０５が収容される給紙トレイ１０４が配備されている。給紙トレイ１０４の出口側の上方には、所定の給紙タイミングで矢印Ｃ方向に回転することにより給紙トレイ１０４から用紙１０５を１枚だけ送り出す半月ロール１０６が配備されている。半月ロール１０６により給紙トレイ１０４から送り出された用紙１０５は、第１のガイド１０８に案内されて一対のロールからなる第１のフィードロール１０９に搬送され、ここから第２のガイド１１１に案内されて一対のロールからなる第２のフィードロール１１２に搬送される。第２のフィードロール１１２まで搬送された用紙は、次に用紙斜行補正装置１０に送り込まれ、ここで斜行補正が行われる。
【００２８】
用紙斜行補正装置１０には、一対のロールからなるレジストレーションロール１２が配備されており、斜行補正と同時に用紙送出しタイミングの調整も行われる。
【００２９】
レジストレーションロール１２の手前には、用紙の側端位置を検出するセンサ１１０が配備されており、このセンサ１１０で検出された用紙側端位置に基づき画像形成部の作像位置をロール回転軸方向に移動させて用紙と画像の幅方向の位置合わせが行われる。
【００３０】
斜行補正が行われ、用紙送出しのタイミングがくると、用紙はレジストレーションロール１２により下流側に送り出され、転写ロール１１６と転写ベルト１０２の間のニップ部に搬送されそのニップ部を通過することによりトナー像の転写を受けた後、矢印Ｄ方向に排出されさらに、図示しない定着装置により定着処理を受けた後、機外に排出される。
【００３１】
次に、本実施形態の用紙斜行補正装置について説明する。
【００３２】
図２は、本発明の第１の実施形態の用紙斜行補正装置の概略構成図であり、図３は、図２に示した用紙斜行補正装置に用いられるレジストレーションロールを示す図である。
【００３３】
図２に示すように、この用紙斜行補正装置１０は、用紙を下流方向に向けて搬送する一対のロールからなる搬送ロール１１と、搬送ロール１１よりも用紙搬送方向下流側の、搬送ロール１１から、用紙の搬送方向長さよりも近い位置に配備された、一対のロールからなるレジストレーションロール１２と、レジストレーションロール１２に当接した状態の用紙先端部の、レジストレーションロール１２の回転軸方向の撓みを防止する用紙規制部材１３と、搬送ロール１１によって搬送されてきた用紙をレジストレーションロール１２に向けて案内する案内路１５を形成する２枚のガイドプレート１６，１７とを備えている。
【００３４】
このレジストレーションロール１２は、搬送されてきた用紙の先端の当接を受け所定時間を置いて、すなわち、図示しない制御装置からの指令に基づく用紙送出しタイミングで用紙をさらに下流へと搬送する。
【００３５】
２枚のガイドプレート１６，１７の、レジストレーションロール１２側の、レジストレーションロール１２に沿う方向の一部分１４の、ガイドプレート１６，１７どうしの間隔Ｇ１は、ガイドプレート１６，１７の他の部分の間隔Ｇ２よりも狭幅に形成されておりこの一部分１４が上記用紙規制部材１３として作用するようになっている。この用紙規制部材１３の動作については後述する。
【００３６】
２枚のガイドプレート１６，１７は、搬送ロール１１からレジストレーションロール１２まで延びる案内路１５を形成している。なお、本実施形態では、２枚のガイドプレート１６，１７のうち一方のガイドプレート１６は、レジストレーションロール１２寄りの部分１６ａ、搬送ロール１１寄りの部分１６ｃ、およびそれらの中間にある可動部分１６ｂから構成されている。可動部分１６ｂは、支点１８で支持されており、可動部分１６ｂに相当する案内路１５内に用紙が搬送されてきていときにはスプリング１９の作用により図示の位置にあるが、可動部分１６ｂに相当する案内路１５内に用紙が搬送されてくると、可動部分１６ｂは用紙に押されて矢印Ａ方向に回動するようになっている。
【００３７】
図３に示すように、この用紙斜行補正装置１０におけるレジストレーションロール１２は、ロール回転軸方向に間隔を空けて配列された３組のロール対からなる単ロール１２ａ，１２ｂ，１２ｃから構成されており、２枚のガイドプレート１６，１７の、隣接する単ロールどうしの間の部分２０の、２枚のガイドプレート１６，１７どうしの間隔Ｇ１が他の部分２１の間隔Ｇ２よりも狭幅に形成されている。なお、図２に示す間隔Ｇ１および間隔Ｇ２は、図１に示す間隔Ｇ１および間隔Ｇ２と同一である。
【００３８】
次に、本実施形態の用紙斜行補正装置の動作について説明する。
【００３９】
図４は、本実施形態の用紙斜行補正装置の動作説明図である。
【００４０】
搬送ロール１１からレジストレーションロール１２に向かって用紙Ｐの搬送が開始されると、用紙Ｐの先端部は、ガイドプレート１６の可動部分１６ｂに突き当たり、この可動部分１６ｂを、図２に示した位置から図４に示した位置に押し上げ、用紙ＰはループＬを形成する。用紙Ｐは、さらに、ガイドプレートのレジストレーションロール１２寄りの部分１６ａに突き当たり、この部分１６ａに案内されてレジストレーションロール１２に向かって進み、回転が停止した状態のレジストレーションロール１２のニップ部Ｎに当接しそこで停止する。
【００４１】
ここで、図８に実線で示すように、用紙９１がレジストレーションロールのニップ部Ｎに対して斜め送りされてきた場合に、図３の搬送ロール１１による搬送力で用紙Ｐの先端部がレジストレーションロール１２のニップ部にさらに強く押し付けられると、図８に一点鎖線で示すように用紙Ｐの先端部の全域がニップ部に平行な状態となり用紙斜行が補正される。しかし、図８に示すように、用紙先端部９１ａとニップ部Ｎとの間の摩擦力により用紙先端部９１ａが用紙先端部９４ａの位置に容易に移動しない場合がある。
【００４２】
ここで、遅れてニップ部Ｎに当接する側の用紙先端部９１ｂは、さらに搬送方向に進行しようとするので、先端部９１ａと先端部９１ｂとの間の直線距離は狭められ、用紙先端部はロール回転軸方向に撓んだ状態となる。このようにロール回転軸方向に撓んだ状態のままでセンサ１１０（図１参照）による用紙側端位置検出が行われた場合には、用紙上の画像位置がずれてしまい画像欠陥の原因となる。
【００４３】
そこで、本実施形態の用紙斜行補正装置１０（図２参照）には、前述のように、レジストレーションロール１２の回転軸方向の撓みを防止する用紙規制部材１３が配備されている。すなわち、案内路１５を形成する２枚のガイドプレート１６，１７の一部分１４の、これら２枚のガイドプレート１６，１７どうしの間隔Ｇ１を、ガイドプレート１６，１７の他の部分の間隔Ｇ２よりも狭幅に形成することにより、用紙規制部材１３として作用するようになっている。
【００４４】
図５は、本実施形態の用紙斜行補正装置における用紙規制部材の作用を示す図である。
【００４５】
図５には、図４に示したレジストレーションロール１２およびガイドプレート１６，１７の一部を用紙の排出口側からみた図が示されている。
【００４６】
図５に示すように、レジストレーションロール１２は、回転軸方向に間隔を空けて配列された複数のロール対からなる単ロール１２ａ，１２ｂ，…から構成されている。
【００４７】
２枚のガイドプレート１６，１７の、隣接する単ロールどうしの間の部分２０の、２枚のガイドプレート１６，１７どうしの間隔Ｇ１を、２枚のガイドプレート１６，１７どうしの他の部分２１の間隔Ｇ２よりも狭幅に形成することにより、用紙規制部材１３を構成している。
【００４８】
この用紙規制部材１３により、部分２０に案内されてきた用紙Ｐ２は、ガイドプレート１６，１７どうしの狭幅の間隔Ｇ１に拘束され、破線で示したように回転軸方向への撓みの発生は抑制される。しかし、仮にこの部分２０に用紙規制部材が形成されていない場合には、用紙Ｐ１は一点鎖線で示したように回転軸方向に撓んでしまう。
【００４９】
こうして、用紙規制部材１３により用紙の回転軸方向の撓みが抑制されるので、用紙斜行は補正され、その結果、高精度で用紙の側端位置が行われるので画像欠陥の発生が防止される。
【００５０】
次に、本発明の第２の実施形態について説明する。
【００５１】
図６は、本発明の第２の実施形態の用紙斜行補正装置の概略構成図であり、図７は、図６に示した用紙斜行補正装置の動作説明図である。
【００５２】
図６に示すように、この実施形態の用紙斜行補正装置２０は、２枚のガイドプレート１７，２１のうちの一方のガイドプレート２１の、レジストレーションロール１２側の部分が、もう一方のガイドプレート１７に接触する方向に移動自在に支持し、これら２枚のガイドプレート１７，２１のレジストレーションロール１２側の部分の互いの間の間隔Ｇ３を、搬送されてくる用紙の厚さに応じて調整する間隔調整機構２６を備えている。
【００５３】
この間隔調整機構２６は、図６に示すように、一方のガイドプレート２１を支持する支点２３と、ガイドプレート２１を上方に引き上げるためのソレノイド２５と、ソレノイド２５による引上げ動作がオフとなったときにガイドプレート２１を下方の元の位置に戻すためのスプリング２４とからなっている。ソレノイド２５は、図示しない操作パネルから入力された用紙厚さに応じてオン／オフされるようになっている。
【００５４】
一般に、用紙厚さの厚い用紙が用いられた場合には、レジストレーションロールのニップ部における、用紙先端部がロール回転軸方向に撓もうとする力よりも用紙の腰の方が強いために、先にレジストレーションロールに当接した用紙先端部が用紙幅方向に容易に移動するので、ロール回転軸方向への用紙の撓みは比較的発生しにくい。これに対して用紙厚さの薄い用紙が用いられた場合には、用紙先端部がロール回転軸方向に撓もうとする力よりも用紙の腰の方が弱いために、先にレジストレーションロールに当接した用紙先端部は用紙幅方向に容易に移動せず、ロール回転軸方向への用紙の撓みが比較的発生しやすい。
【００５５】
そこで、用紙厚さが薄い場合にはソレノイド２５をオフにすることにより、図６に示すようにガイドプレート２１を下方に引き下げて間隔Ｇ３まで狭めて、用紙斜行を効果的に補正することができる。一方、用紙厚さが厚い場合にはソレノイド２５をオンにすることにより、図７に示すようにガイドプレート２１を上方に引き上げて間隔Ｇ４まで拡げることにより、用紙厚さが厚い用紙の搬送をしやすくすることができる。
【図面の簡単な説明】
【００５６】
【図１】本発明の用紙斜行補正装置が組み込まれた画像形成装置の要部を示す図である。
【図２】本発明の第１の実施形態の用紙斜行補正装置の概略構成図である。
【図３】図２に示した用紙斜行補正装置に用いられるレジストレーションロールを示す図である。
【図４】本実施形態の用紙斜行補正装置の動作説明図である。
【図５】本実施形態の用紙斜行補正装置における用紙規制部材の作用を示す図である。
【図６】本発明の第２の実施形態の用紙斜行補正装置の概略構成図である。
【図７】図６に示した用紙斜行補正装置の動作説明図である。
【図８】従来の用紙斜行補正の原理を示す図である。
【図９】従来の用紙斜行補正装置の概要図である。
【符号の説明】
【００５７】
１０    用紙斜行補正装置
１１    搬送ロール
１２    レジストレーションロール
１２ａ，１２ｂ，１２ｃ    単ロール
１３    用紙規制部材
１４    一部分
１５    案内路
１６，１７    ガイドプレート
１６ａ，１６ｂ，１６ｃ    部分
１８    支点
１９    スプリング
２０，２１    部分
２３    支点
２４    スプリング
２５    ソレノイド
２６    間隔調整機構
９１    用紙
９１ａ，９１ｂ    先端部
９１ｃ    ループ
９２，９３    レジストレーションロール
９４    一点鎖線
９４ａ    先端部
９５，９６    搬送ロール
９７    第１の用紙ガイド
９８    第２の用紙ガイド
１００    画像形成装置
１０１    感光体部
１０２    転写ベルト
１０４    給紙トレイ
１０５    用紙
１０６    半月ロール
１０８    第１のガイド
１０９    第１のフィードロール
１１０    センサ
１１１    第２のガイド
１１２    第２のフィードロール
１１６    転写ロール
【図１】
2007302381.tif 000003
【図２】
2007302381.tif 000004
【図３】
2007302381.tif 000005
【図４】
2007302381.tif 000006
【図５】
2007302381.tif 000007
【図６】
2007302381.tif 000008
【図７】
2007302381.tif 000009
【図８】
2007302381.tif 000010
【図９】
2007302381.tif 000011